(57)【要約】【課題】制御盤の改造を必要とせずに、エレベータの監視機能を既設の監視盤から新設の監視盤へスムーズに移行させる。【解決手段】既設・新設の制御盤１１，１２と既設・新設の監視盤１３，１４との間にインターフェース装置１５を設ける。インターフェース装置１５は、既設の制御盤１１から出力されるエレベータの動作信号を既設の監視盤１３が受信している状態で、新設の制御盤１２の接続を検出する接続状態検出部１５ａと、新設の制御盤１２の接続が検出された場合に、既設の制御盤１１と新設の制御盤１２から出力される各エレベータの動作信号の切替え制御を行う信号切替え部１５ｂとを備える。これにより、制御盤の改造を必要とせずに、エレベータの監視機能を既設の監視盤１３から新設の監視盤１４へスムーズに移行させる。【選択図】      図１
2009220998.tif 000002
【特許請求の範囲】
【請求項１】
新旧のエレベータの運転制御を行う既設・新設の制御盤と、
この既設・新設の制御盤から出力される各エレベータの動作信号を監視する既設・新設の監視盤と、
上記既設・新設の制御盤と上記既設・新設の監視盤との間に設けられたインターフェース装置とからなり、
上記インターフェース装置は、
上記既設の制御盤から出力されるエレベータの動作信号を上記既設の監視盤が受信している状態で、上記新設の制御盤の接続を検出する接続状態検出手段と、
この接続状態検出手段によって上記新設の制御盤の接続が検出された場合に、上記新設の制御盤から出力されるエレベータの動作信号を上記既設の監視盤に送ると共に、上記新設の監視盤の設置に伴い、上記既設の制御盤と上記新設の制御盤の両方の動作信号を上記新設の監視盤に送ることで同時に２つの監視盤で監視を行い、上記既設の制御盤が撤去されたときに上記新設の監視盤のみで監視を行うように信号切替えを行う信号切替え手段と
を備えたことを特徴とするエレベータのリニューアルシステム。
【請求項２】
上記インターフェース装置は、
上記既設の監視盤と上記新設の監視盤で同時に監視を行う場合に、上記既設の制御盤から出力されるエレベータの動作信号の中で上記新設の監視盤に関係する動作信号を上記新設の監視盤用に信号処理して上記新設の監視盤に送る信号処理手段を備えたことを特徴とする請求項１記載のエレベータのリニューアルシステム。
【発明の詳細な説明】
【技術分野】
【０００１】
本発明は、エレベータのリニューアル工事において、エレベータの監視機能を既設の監視盤から新設の監視盤に移行するエレベータのリニューアルシステムに関する。
【背景技術】
【０００２】
通常、エレベータのリニューアル工事において、エレベータの監視機能を既設の監視盤から新設の監視盤に移行する場合には、既設の監視盤と新設の監視盤を同時に稼働せずに、既設の監視盤から新設の監視盤へ制御盤の配線を変更することで対応している。しかしながら、このような方法では、エレベータの設置台数が多い場合に、すべてのエレベータの監視機能を短期間に移行させることは困難であり、既設の監視盤と新設の監視盤との間で各エレベータの監視機能が分散するといった不都合が生じる。
【０００３】
なお、上記「監視盤」とは、エレベータの動作状態を監視するための装置のことであり、エレベータの運転動作を制御する「制御盤」とは別の場所（例えばビルの監視室）に設置される。
【０００４】
また、従来、複数台の新旧エレベータの制御盤が混在した状態で、既設の監視盤を新設の監視盤にリニューアルする場合の方法として、例えば特許文献１に開示されている方法が知られている。
【０００５】
この特許文献１では、リニューアル前のエレベータに対応した既設の制御盤内に新監視盤用回路を組み込み、その新監視盤用回路と新設の監視盤間を接続することで、新旧エレベータが混在する状態で、各エレベータの動作状態を新設の監視盤で監視することを実現している。
【特許文献１】特開平８−３０１５５１号
【発明の開示】
【発明が解決しようとする課題】
【０００６】
しかしながら、上述した特許文献１のニューアル方法では、既設の制御盤内に新監視盤用回路を組み込む改造工事が必要であり、既設の制御盤から新設の制御盤に変えたときに、新たに付け加えた新監視盤用回路が無駄になるなどの問題もある。
【０００７】
本発明は上記のような点に鑑みなされたもので、制御盤の改造を必要とせずに、エレベータの監視機能を既設の監視盤から新設の監視盤へスムーズに移行させることのできるエレベータのリニューアルシステムを提供することを目的とする。
【課題を解決するための手段】
【０００８】
本発明に係るエレベータのリニューアルシステムは、新旧のエレベータの運転制御を行う既設・新設の制御盤と、この既設・新設の制御盤から出力される各エレベータの動作信号を監視する既設・新設の監視盤と、上記既設・新設の制御盤と上記既設・新設の監視盤との間に設けられたインターフェース装置とからなり、上記インターフェース装置は、上記既設の制御盤から出力されるエレベータの動作信号を上記既設の監視盤が受信している状態で、上記新設の制御盤の接続を検出する接続状態検出手段と、この接続状態検出手段によって上記新設の制御盤の接続が検出された場合に、上記新設の制御盤から出力されるエレベータの動作信号を上記既設の監視盤に送ると共に、上記新設の監視盤の設置に伴い、上記既設の制御盤と上記新設の制御盤の両方の動作信号を上記新設の監視盤に送ることで同時に２つの監視盤で監視を行い、上記既設の制御盤が撤去されたときに上記新設の監視盤のみで監視を行うように信号切替えを行う信号切替え手段とを備えたことを特徴とする。
【発明の効果】
【０００９】
本発明によれば、制御盤の改造を必要とせずに、エレベータの監視機能を既設の監視盤から新設の監視盤へスムーズに移行させることができる。
【発明を実施するための最良の形態】
【００１０】
以下、図面を参照して本発明の実施形態を説明する。
【００１１】
（第１の実施形態）
図１は本発明の第１の実施形態に係るエレベータのリニューアルシステムの構成を示すブロック図である。
【００１２】
本システムは、既設の制御盤１１、新設の制御盤１２、既設の監視盤１３、新設の監視盤１４、インターフェース装置１５からなる。既設の制御盤１１は、ビルの機械室などに旧エレベータに対応して設けられており、旧エレベータの運転動作を制御する。また、新設の制御盤１２は、エレベータのリニューアルにより新設された制御盤であって、新エレベータの運転動作を制御する。
【００１３】
また、既設の監視盤１３と新設の監視盤１４は、既設の制御盤１１および新設の制御盤１２とは別の場所（例えばビルの監視室）に設置され、それぞれに対応したエレベータの動作状態を監視する。具体的には、既設の制御盤１１および新設の制御盤１２から各エレベータの動作信号を取得することにより、監視室内で管理人などが視覚的に監視できる形式で状態表示などを行う。
【００１４】
ここで、既設・新設の制御盤１１，１２と既設・新設の監視盤１３，１４との間に、信号変換機能を備えたインターフェース装置１５が着脱自在に設けられている。本実施形態において、このインターフェース装置１５は、接続状態検出部１５ａと信号切替え部１５ｂを備える。
【００１５】
接続状態検出部１５ａは、既設の制御盤１１から出力されるエレベータの動作信号を既設の監視盤１３が受信している状態で、新設の制御盤１２の接続を検出する。信号切替え部１５ｂは、接続状態検出部１５ａによって新設の制御盤１２の接続が検出された場合に、既設の制御盤１１と新設の制御盤１２から出力される各エレベータの動作信号の切替え制御を行う。詳しくは、新設の制御盤１２から出力されるエレベータの動作信号を既設の監視盤１３に送ると共に、新設の監視盤１２の設置に伴い、既設の制御盤１１と新設の制御盤１２の両方の動作信号を新設の監視盤１４に送ることで同時に２つの監視盤１３，１４で監視を行い、既設の制御盤１３が撤去されたときに新設の監視盤１４のみで監視を行うように信号切替えを行う。
【００１６】
次に、リニューアル工事にてエレベータの監視機能を既設の制御盤１１から新設の制御盤１２への移行する場合の作業手順について説明する。
【００１７】
図２はその作業手順を説明するための図である。なお、図中の丸数字は作業手順の順番を示している。また、点線は信号の流れを示している。
【００１８】
（１）まず、リニューアル前では、既設の制御盤１１から出力されるエレベータの動作信号が既設の監視盤１３に与えられており、既設の監視盤１３での監視を行っている。
【００１９】
（２）ここで、あるエレベータ号機の制御盤が新設された場合において、その新設の制御盤１２に対応したエレベータの動作信号をインターフェース装置１５を介して既設の監視盤１３へ送ることで、既設の監視盤１３に監視機能を持たせる。
【００２０】
（３）次に、新設の監視盤１４が設置されたときに、既設の制御盤１１と新設の制御盤１２からの各動作信号をインターフェース装置１５を介して既設の監視盤１３と新設の監視盤１４のそれぞれに送ることにより、２つの監視盤１３，１４で同時に監視を行う。
【００２１】
（４）最後に、既設の監視盤１３が撤去されたときに、新設の監視盤１４のみで既設の制御盤１１と新設の制御盤１２からの各動作信号を受信することで単独で監視を行う。
【００２２】
このように、エレベータのリニューアル工事時に、既設・新設の制御盤１１，１２と既設・新設の監視盤１３，１４との間にインターフェース装置１５を着脱自在に設け、各エレベータの監視機能を既設・新設の制御盤１１，１２を問わずに既設の制御盤１１側に持たせた状態で、新設の監視盤１４の設置に伴い、既設・新設の監視盤１３，１４で同時に監視し、最終的に新設の監視盤１４側だけで監視を行うように信号切替えを行う。
【００２３】
これにより、既設・新設の制御盤１１，１２を問わず、また、既設・新設の監視盤１３，１４を問わずに監視機能を持たせることができ、制御盤の改造を必要とせずに、既設の監視盤１１から新設の監視盤１２へのスムーズな移行を実現することができる。
【００２４】
（第２の実施形態）
次に、本発明の第２の実施形態について説明する。  
図３は本発明の第２実施形態に係るエレベータのリニューアルシステムの構成を示すブロック図である。なお、上記第１の実施形態における図１の構成と同じ部分には同一符号を付して、その詳しい説明は省略するものとする。
【００２５】
第２の実施形態では、既設の監視盤１３と新設の監視盤１４で同時に監視する場合を想定している。インターフェース装置１５には信号処理部１５ｃがさらに設けられる。この信号処理部１５ｃは、既設の制御盤１１から出力されるエレベータの動作信号の中で新設の監視盤１４に関係する信号を新設の監視盤１４用に信号処理する。
【００２６】
このような構成において、今、既設の制御盤１１に対応したエレベータの動作信号を既設の監視盤１３が受けている状態で、新設の監視盤１４が追加されたとする。このような場合に、既設の制御盤１１と既設の監視盤１３との間の信号線において、新設の監視盤１４にも関係する信号線をインターフェース装置１５へ接続する。
【００２７】
ここで、インターフェース装置１５にて当該信号線の信号を新設の監視盤１４用に増幅または統合して新設の監視盤１４に送るようにする。これにより、既設の制御盤１１に対応したエレベータの監視機能を既設と新設の監視盤１３，１４の両方に持たせることができる。
【００２８】
このように、既設の制御盤１１の信号の中で新設の監視盤１４に関係する信号をインターフェース装置１５を介して新設の監視盤１４用に変換して送ることで、制御盤の改造を必要とせずに、既設の監視盤１１から新設の監視盤１２へのスムーズな移行を実現することができる。
【００２９】
なお、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００３０】
【図１】図１は本発明の第１の実施形態に係るエレベータのリニューアルシステムの構成を示すブロック図である。
【図２】図２は同実施形態におけるリニューアル作業の手順を説明するための図である。
【図３】図３は本発明の第２実施形態に係るエレベータのリニューアルシステムの構成を示すブロック図である。
【符号の説明】
【００３１】
１１…既設の制御盤、１２…新設の制御盤、１３…既設の監視盤、１４…新設の監視盤、１５…インターフェース装置、１５ａ…接続状態検出部、１５ｂ…信号切替え部、１５ｃ…信号処理部。
【図１】
2009220998.tif 000003
【図２】
2009220998.tif 000004
【図３】
2009220998.tif 000005